(57)【特許請求の範囲】
【請求項１】
大引き、土台、根太などの横架材に装着され、板状断熱材を略水平方向に支持するのに使用される断熱材支持具であって、
前記横架材の上面に差し渡される上方水平板部と、前記横架材の側端面に密着するように配置される垂直板部と、前記垂直板部の下面から水平方向に延出された下方水平板部とを有し、
前記下方水平板部には、前記垂直板部と前記下方水平板部との間に、荷重を受けるための補強部が形成され、
前記補強部は、前記垂直板部と前記下方水平板部とに跨って形成された側面視三角形状のリブ状突起であり、
前記側面視三角形状のリブ状突起のうち、前記下方水平板部に形成されたリブ状突起部分は、前記下方水平板部の基端側から先端側の略中間位置にまで形成されたものであることを特徴とする断熱材支持具。
【請求項２】
大引き、土台、根太などの横架材に装着され、板状断熱材を略水平方向に支持するのに使用される断熱材支持具であって、
前記横架材の上面に差し渡される上方水平板部と、前記横架材の側端面に密着するように配置される垂直板部と、前記垂直板部の下面から水平方向に延出された下方水平板部とを有し、
前記下方水平板部には、前記垂直板部と前記下方水平板部との間に、荷重を受けるための補強部が形成され、
前記補強部は、前記下方水平板部の先端部から同じ幅で鋭角方向に延出された傾斜板部と、該傾斜板部から上方に延出された第２の垂直板部とを有する三角形状の壁体から構成されたものであることを特徴とする断熱材支持具。
【請求項３】
前記垂直板部には、切り込みが具備され、この切り込みを立て起こして形成される突き刺し片が、前記横架材の側面に食い込まれて装着されることを特徴とする請求項１または２に記載の断熱支持具。
【請求項４】
前記上方水平板部には、切り込みが具備され、この切り込みを立て起こして形成される突き刺し片が前記横架材の上面に食い込まれて装着されることを特徴とする請求項１〜３のいずれかに記載の断熱支持具。
【請求項５】
前記上方水平板部には、幅方向にスリット状の切り込み溝が形成され、この切り込み溝を介して２つに分離可能であることを特徴とする請求項１〜４のいずれかに記載の断熱支持具。
【発明の詳細な説明】
【技術分野】
【０００１】
本発明は断熱材支持具に関するもので、詳しくは、横架材に板状断熱材を支持するのに好適な断熱材支持具に関する。
【背景技術】
【０００２】
近年、省エネ及び居住性の向上などのために壁面は勿論のこと床面にも板状断熱材を敷設して室内の高断熱化が図られている。
これらの板状断熱材は根太の間に断熱材支持具を介して隙間なく略水平方向に敷設されるが一般的である。しかしながら、プレカットし難い根太を省略して、大引き上に直接床下地材を張設するいわゆる根太レス工法では、根太で断熱材を支持することができないことから板状断熱材を、大引き間に直接施工する必要がある。
【０００３】
図１２は、特許文献１などに開示されている従来の断熱材支持具の施工例の一例を示したものである。
この支持金具２は、上方水平板部３と垂直板部４ａ、４ｂと水方水平板部５ａ、５ｂとを備え、全体として断面略コ字状にして左右対称に形成されている。また、両側の下方水平板部５ａ、５ｂには、切り込みを立て起こすなどして突出部２ａ、２ｂが形成されている。このような支持金具２は、横架材、例えば根太１の上面に跨って装着される。そして、下方水平板部５ａ、５ｂの突出部２ａ、２ｂに板状断熱材６ａ、６ｂが係止されることにより、板状断熱材６ａ、６ｂの抜けが防止されている。
【０００４】
このように板状断熱材６ａ、６ｂが敷設されたら、その上に図示しない床下地材が設置され、床下断熱構造が構築される。
【特許文献１】実開昭５９−５８１１１号公報
【発明の開示】
【発明が解決しようとする課題】
【０００５】
ところで、このような従来の断熱材支持具２では、板状断熱材６ａ、６ｂが水平方向に敷設された場合に、板状断熱材６ａ、６ｂの荷重により下方水平板部５ａ、５ｂが垂れ下がってしまう虞がある。仮に垂れ下がりが生じれば、断熱性が損なわれることになる。
【０００６】
また、従来の断熱材支持具２では、その垂直板部４ａ、４ｂが根太１の両側端面に単に当接するだけの構造であるため、プレスによる支持金具２の折り込みが不十分であると、垂直板部４ａ、４ｂが根太１の側端面から浮き上がってしまい、密着性が損なわれてしまうという問題があった。
【０００７】
本発明は、このような実情に鑑み、板状断熱材が敷設された場合に板状断熱材の荷重で下方水平板部が垂れ下がってしまう虞れがなく、さらに根太などに装着した場合に、その横架材に対する密着性も良好な断熱材支持具を提供することを目的としている。
【課題を解決するための手段】
【０００８】
上記目的を達成するための本発明に係る第１の断熱支持具は、
大引き、土台、根太などの横架材に装着され、板状断熱材を略水平方向に支持するのに使用される断熱材支持具であって、
前記横架材の上面に差し渡される上方水平板部と、前記横架材の側端面に密着するように配置される垂直板部と、前記垂直板部の下面から水平方向に延出された下方水平板部とを有し、
前記下方水平板部には、前記垂直板部と前記下方水平板部との間に、荷重を受けるための補強部が形成され、
前記補強部は、前記垂直板部と前記下方水平板部とに跨って形成された側面視三角形状のリブ状突起であり、
前記側面視三角形状のリブ状突起のうち、前記下方水平板部に形成されたリブ状突起部分は、前記下方水平板部の基端側から先端側の略中間位置にまで形成されたものであることを特徴としている。
【０００９】
このような構成の断熱材支持具によれば、補強部の作用により下方水平板部の垂れ下がりを防止することができる。
【００１１】
また、本発明に係る第１の断熱支持具では、前記リブ状突起のうち、前記下方水平板部に形成されたリブ状突起部分は、前記下方水平板部の基端側から先端側の略中間位置まで形成されている。
【００１２】
このようなリブ状突起であれば、板状断熱材として、厚さの異なるものを種々用いる場合であっても、１つの断熱材支持具を兼用することができ、これらの板状断熱材を良好に支持することができる。  
【００１４】
また、本発明に係る第２の断熱支持具は、
大引き、土台、根太などの横架材に装着され、板状断熱材を略水平方向に支持するのに使用される断熱材支持具であって、
前記横架材の上面に差し渡される上方水平板部と、前記横架材の側端面に密着するように配置される垂直板部と、前記垂直板部の下面から水平方向に延出された下方水平板部とを有し、
前記下方水平板部には、前記垂直板部と前記下方水平板部との間に、荷重を受けるための補強部が形成され、
前記補強部は、前記下方水平板部の先端部から同じ幅で鋭角方向に延出された傾斜板部と、該傾斜板部から上方に延出された第２の垂直板部とを有する三角形状の壁体から構成されたものであることを特徴としている。
【００１５】
このような補強部では、根太などの横架材に装着した場合に、第２の垂直板部が横架材の側端面に当接するので補強部としての機能を発揮させることができる。
さらに、前記垂直板部には、切り込みが具備され、この折り込みを立て起こして形成される突き刺し片が、前記横架材の側面に食い込まれて装着されることが好ましい。
【００１６】
このような突き刺し片が形成されていれば、支持具を横架材に対して仮止めすることができる。
【００１９】
さらに、本発明では、前記上方水平板部には、切り込みが具備され、この切り込みを立て起こして形成される突き刺し片が前記横架材の上面に食い込まれて装着されることが好ましい。
【００２０】
このような構成であれば、断熱支持金具を横架材に装着した状態で密着させることができる。
【００２１】
さらに、前記上方水平板部には、切り込みが具備され、この切り込みを立て起こして形成される突き刺し片が前記横架材の上面に食い込まれて装着されていることが好ましい。
【００２２】
このような構成であれば、断熱支持金具を横架材に装着した状態で密着させることができる。
さらに、前記上方水平板部には、幅方向にスリット状の切り込みが形成され、この切り込みを介して２つに分離可能であることが好ましい。
【００２３】
このように２つに分離可能であれば、径の大きい大引きなどで使用する場合に、そのままでは設置できなくても２つに切り離して使用すれば角部に設置することができる。
【発明の効果】
【００２４】
本発明に係る断熱支持金具によれば、板状断熱材を敷設した場合、板状断熱材の荷重により下方水平板部が垂れ下がってしまうことはない。
また、補強部をリブ状突起で構成すれば、製作が容易かつ安価である。
【００２５】
さらに、下方水平板部の先端部から延出した傾斜板部と第２の垂直板部とを有する三角形状の壁体から構成すれば、材料の無駄がなく、安価である。
また、垂直板部と下方水平板部とから構成される断熱支持金具を、上方水平板部で連結され左右対称形に形成すれたものとすれば、両側に板状断熱材を支持することができる。
【００２６】
さらに、垂直板部あるいは上部水平板部に、切り込みにより立て起こしが形成されていれば、これらの立て起こしを横架材に食い込ませて、横架材に対する密着性を向上させることができる。
【発明を実施するための最良の形態】
【００２７】
以下、本発明の好ましい実施の形態について説明する。
図１（Ａ），（Ｂ）は本発明の一参考例による断熱支持具を示したものである。
この断熱支持具１０は、亜鉛鋼板などの薄い金属板から形成されている。この断熱支持具１０は、垂直板部１１とこの垂直板部１１の下面から略水平方向に延出された下方水平板部１２とを有している。そして、これら垂直板部１１と下方水平板部１２との間には、２つの板部に跨ってリブ状突起による補強部１３が形成されている。図１（Ａ），（Ｂ）に示した補強部１３は、側面視略Ｌ字状のリブ状突起部分１４ａ、１４ｂからなるもので、これらリブ状突起部分１４ａ、１４ｂは、一回のプレスにより一体的に連続して形成されている。これらのリブ状突起部分１４ａ、１４ｂのうち、下方水平板部１２のリブ状突起部分１４ｂは、下方水平板部１２の長さ方向全長に形成されていることが好ましい。また、リブ状突起部分１４ａ、１４ｂの頂部は円弧状であっても良く、あるいは鋭角に角張って形成されていても良い。いずれにしても、垂直板部１１と下方水平板部１２とに跨ってこのようなリブ状突起が形成されていれば、骨材として機能するので、下方水平板部１２の強度を向上させることができる。
【００２８】
一方、垂直板部１１の両側部には、切り込み１５，１６を形成し、この切り込みから立て起こすとともに、先端部が鋭角に折曲された突き刺し片１７，１８が形成されている。また、垂直板部１１の上縁部には、横架材に対する固定手段として、略三角形状の爪部１９，２０が形成されている。
【００２９】
本参考例による断熱支持具１０は、上記のように形成されたものであるが、以下に作用について説明する。
断熱支持具１０は、図２に示したように、大引き２１あるいは根太などの横架材に取り付けられて、板状断熱材２２を床板の下面などに敷設するのに使用される。
【００３０】
断熱支持金具１０を大引き２１の側端面に装着する場合、垂直板部１１の背面側すなわち大引き２１に当接する側の面に、粘着剤を貼付して用いることも可能である。そして、粘着剤を付着した後、大引き２１の側端面に取り付けるとともに、突き刺し片１７，１８を大引き２１に引っ掛けるか、突き刺して使用する。その後、この断熱支持金具１０の下方水平板部１２に板状断熱材２２を支持させる。このとき、板状断熱材２２の上部は、大引き２１より若干上方に突出するが、図３に示したように、板状断熱材２２の上面に例えば床下地材２３を敷設すれば、この板状断熱材２２が圧縮されて床下地材２３に密着する。このとき、板状断熱材２２は、下方水平板部１２のリブ状突起部分１４ｂにより、上方向への押圧力を受けるので、床下地材との間に隙間が生じることを極力防止することができる。
【００３１】
図４（Ａ），（Ｂ）および図５は、他の参考例による断熱材支持具３０を示したもので、上記実施例と同一要素については同一の符号を付してある。この断熱支持具３０は、図２に示した大引き２１などの横架材に対し、上から被せるように装着され、両側に板状断熱材２２、２２が支持されるものである。すなわち、断熱材支持具３０では、水平方向の上方水平板部３２の長さが大引き２１の幅に略等しい。そして、上方水平板部３２の両側に一対の断熱支持具が具備され略コ字状とされている。
【００３２】
上方水平板部３２は、大引き２１に対する固定手段を構成するもので、この上方水平板部３２には、切り込み３３を下方に立て起こすことにより、突き刺し片３４が形成されている。
【００３３】
また、上方水平板部３２の幅方向に、スリット状で細く浅い切り込み溝３５を適宜な間隔をおいて形成しておいても良い。
このような切り込み溝３５が予め形成されていれば、必要に応じて、断熱材支持具３０を２つに分離することができる。そして上方水平板部３２の途中から適宜な長さに切断された片側だけの断熱支持金具３０’を用意すれば、土台、きわ根太など建物の端部に配置される部分に用いることができる。また、大引きなどの幅が大きい場合は、片側だけの断熱支持金具３０’、３０’に切り離して、これらを大引き２１の角部に合致するように使用すればよい。
【００３４】
図６（Ａ），（Ｂ）および図７は、さらに他の参考例による断熱支持具４０を示したものである。
この断熱支持具４０は、垂直板部１１と下方水平板部１２とが、上方水平板部３２により連結され、略コ字状に形成されたものである。そして、この断熱支持具４０は、根太用に形成されている。
【００３５】
断熱支持金具４０では、垂直板部１１と下方水平板部１２との間の補強部１３が、垂直板部１１と下方水平板部１２との隅角部に点在するように形成されたリブ状突起４１、４１により構成されている。この点状の２つのリブ状突起４１も、垂直板部１１と下方水平板部１２とに跨って形成されているため、図１のリブ状突起と同様に骨材としての機能を有している。
【００３６】
また、この断熱支持金具４０では、下方水平板部１２，１２に、切り込みが形成され、この切り込みから立て起こすことにより、突出部４３、４３が形成されている。さらに、上方水平板部３２には、同様に突き刺し片４４、４４が形成されている。
【００３７】
このような断熱支持金具４０を用いれば、図７に示したように、例えば、根太４５などの両側に板状断熱材２２、２２を支持させることができる。また、突き刺し片４４を根太４５に突き刺せば、断熱支持金具４０を根太４５に仮止めすることができる。また、突出部４３を板状断熱材２２に突き刺すことにより、板状断熱材２２の抜けを防止することができる。
【００３８】
図８（Ａ），（Ｂ）は、本発明の一実施例による断熱支持具５０を示したものである。この断熱支持具５０では、下方水平板部１２の先端部から、さらに同じ幅で鋭角方向に傾斜板部５２が延出されるとともに、傾斜板部５２のさらに先端側に第２の垂直板部５４が延出されている。これにより、垂直板部１１の下面側に、断面略三角形状の壁体からなる補強部１３が構成されている。このような補強部１３であっても、上記各参考例のリブと同様の機能を発揮することができる。すなわち、断熱支持具５０を図９に示したように、大引き２１に跨るように設置すれば、補強部１３の第２の垂直板部５４が大引き２１の側端面に当接される。そして、ここに三角形を形成することから、補強機能を発揮し、水平板部１２が下方に垂れ下がってしまうことを防止することができる。これによっても、板状断熱材２２を支持することができる。
【００３９】
以上、本発明に係る断熱支持金具について説明したが、本発明は上記実施例に何ら限定されない。
例えば、図８（Ａ），（Ｂ）に示した断熱支持金具５０における垂直板部１１にも、図１に示した断熱支持金具１０と同様に、突き刺し片１７，１８を具備させても良い。
【００４０】
また、上記実施例では、断熱支持金具を大引き、根太、土台などの横架材に使用される例について説明したが、断熱支持金具は、パネル材あるいは屋根部などに適用することもでき、使用箇所は特に限定されるものではない。
【００４１】
さらに、上記実施例の各断熱支持金具は、金属板から形成されているが、材質は特に限定されない。例えば、強度の高いプラスチックなどから形成しても良い。
図１０（Ａ），（Ｂ）は、本発明の他実施例による断熱支持具６０を示したものである。
【００４２】
この断熱支持金具６０では、垂直板部１１と下方水平板部１２との間に、側面視三角形状のリブ状突起６２が形成されている。このリブ状突起６２は、高さ方向が長く、水平方向が短く形成されている。
【００４３】
すなわち、高さ方向のリブ状突起部分６２ａは、上方水平板部３２の近傍にまで形成されているが、水平方向のリブ状突起部分６２ｂは、下方水平板部１２の略中間位置で止まっている。
【００４４】
このような断熱支持金具６０は、金属で成形することもできるが、合成樹脂から形成することができる。また、断熱支持金具６０を金属で形成する場合は、補強部としてのリブ
状突起６２を、プレスで形成することができる。また、金属で形成する場合は、図７あるいは図８に示したような突き刺し片４４を上方水平板部３２に形成しても良い。
【００４５】
また、図１０に示した断熱支持金具６０によれば、例えば、図１１（Ａ）に示したように、厚さの小さい板状断熱材２２ａを支持することもできれば、図１１（Ｂ）に示したように、厚さの大きい板状断熱材２２ｂを支持することもでき、いずれの厚さの断熱材２２ａ、２２ｂであっても、水平方向の突出部分６２ｂにより確実に支持することができる。
【００４６】
このように、垂直板部１１と下方水平板部１２との間に形成される補強部は、プレスにより形成されたリブ状突起に限定されるものではない。
【図面の簡単な説明】
【００４７】
【図１】図１（Ａ），（Ｂ）は本発明の一参考例に係る断熱支持具を示した正面側の斜視図と、背面側の斜視図である。
【図２】図２は図１に示した断熱支持具の使用状態を示した斜視図である。
【図３】図３は図１に示した断熱支持具の使用状態の断面図である。
【図４】図４（Ａ），（Ｂ）は本発明の他の参考例による断熱支持具の斜視図と、その正面図である。
【図５】図５は図４に示した断熱支持具の使用状態の断面図である。
【図６】図６（Ａ），（Ｂ）は本発明のさらに他の参考例による断熱支持具の斜視図と、その正面図である。
【図７】図７は図６に示した断熱支持金具の使用状態の断面図である。
【図８】図８（Ａ），（Ｂ）は本発明の一実施例による断熱支持具の斜視図と、その正面図である。
【図９】図９は、図８に示した断熱支持具の使用状態の断面図である。
【図１０】図１０（Ａ），（Ｂ）は、本発明の他の実施例による断熱支持具の斜視図と、その正面図を示したものである。
【図１１】図１１（Ａ），（Ｂ）は、図１０（Ａ）、（Ｂ）に示した本発明の他の実施例による断熱支持具の使用状態の断面図で、図１０（Ａ）は厚さの小さい板状断熱材を支持する場合、図１０（Ｂ）は厚さの大きい板状断熱材を支持する場合の断面図である。
【図１２】図１２は従来の断熱支持具の使用状態の斜視図である。
【符号の説明】
【００４８】
１０             断熱支持具
１２             下方水平板部
１３             補強部
１４ａ、１４ｂ   リブ状突起部分
１５、１６       切り込み
１７，１８       突き刺し片
１９，２０       爪部
２１             大引き
２２             板状断熱材
２３             床下地材
３０             断熱支持具
３３             切り込み
３４             突き刺し片
３５             スリット状の切り込み
４１             リブ状突起
４３             突出部
４４             突き刺し片
４５             根太
５０             断熱支持具
５２             傾斜板部
５４             第２の垂直板部
６０             断熱支持具
６２             リブ状突起
６２ａ、６２ｂ   リブ状突起部分
【図１】
0005026182.tif 000002
【図２】
0005026182.tif 000003
【図３】
0005026182.tif 000004
【図４】
0005026182.tif 000005
【図５】
0005026182.tif 000006
【図６】
0005026182.tif 000007
【図７】
0005026182.tif 000008
【図８】
0005026182.tif 000009
【図９】
0005026182.tif 000010
【図１０】
0005026182.tif 000011
【図１１】
0005026182.tif 000012
【図１２】
0005026182.tif 000013